(57)【要約】  【目的】  本発明は、出入口の開放時に内扉が外扉に収納された状態で引き戸収納部内に収納される引き戸装置に関するものであり、戸袋（収納壁）を取外すことなく、簡単に引き戸装置の点検、補修を行う事ができる、特に施工性に優れた引き戸装置を提供することを目的とする。    【構成】  内扉が外扉に収納された状態で引き戸収納部内に収納される引き戸装置において、外扉が左右方向に移動可能に取付けられる外扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持したものである。【選択図】    図９
2006070645.tif 000002
【特許請求の範囲】
【請求項１】
内扉が外扉に収納された状態で引き戸収納部内に収納される引き戸装置において、外扉が左右方向に移動可能に取付けられる外扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持したことを特徴とする引き戸装置。
【請求項２】
内扉が外扉に収納された状態で引き戸収納部内に収納される引き戸装置において、外扉が左右方向に移動可能に取付けられる外扉支持枠と、内扉が左右方向に移動可能に取付けられ、外扉支持枠の所定寸法下方で、外扉内の上部を貫挿して配設される内扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持したことを特徴とする引き戸装置。
【請求項３】
嵌入孔は、嵌入突片と戻止め係止片が嵌入する嵌入部と、嵌入部の下方に連設され、嵌入突片の下面と前後面を支持する支持部を有することを特徴とする請求項１、又は、請求項２に記載の引き戸装置。
【請求項４】
内扉が外扉に収納された状態で引き戸収納部内に収納される引き戸装置において、外扉が左右方向に移動可能に取付けられる外扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持せしめると共に、嵌入孔の上方に位置して、戻止め係止片と嵌入突片の案内部を設けたことを特徴とする引き戸装置。
【請求項５】
内扉が外扉に収納された状態で引き戸収納部内に収納される引き戸装置において、外扉が左右方向に移動可能に取付けられる外扉支持枠と、内扉が左右方向に移動可能に取付けられ、外扉支持枠の所定寸法下方で、外扉内の上部を貫挿して配設される内扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持せしめると共に、嵌入孔の上方に位置して、戻止め係止片と嵌入突片の案内部を設けたことを特徴とする引き戸装置。
【請求項６】
嵌入孔は、嵌入突片と戻止め係止片が嵌入する嵌入部と、嵌入部の下方に連設され、嵌入突片の下面と前後面を支持する支持部を有することを特徴とする請求項４、又は、請求項５に記載の引き戸装置。
【発明の詳細な説明】
【技術分野】
【０００１】
本発明は、出入口の開放時に内扉が外扉に収納された状態で引き戸収納部内に収納される引き戸装置に関するものである。
【背景技術】
【０００２】
この種の引き戸装置としては、後扉（本発明では外扉）の前後の吊り車を引き戸上枠に取付けられたレール（以下後扉用レールと云う。）に懸架せしめると共に、該後扉の内部には前扉支持用レールを備え、前扉（本発明では内扉）の前後の対をなす吊り車の後部吊り車を前記前扉支持用レールに懸架し、前扉の前部の吊り車を引き戸上枠に設けられた前記後扉用レール上に懸架せしめ、前扉と後扉は連動杆によって、所定の速度比で移動するものがある。この場合、後扉用レールは引戸枠部材の上横枠に取付けられている。
又、前扉の移動距離に対して後扉がその２分の１の移動距離で移動するよう連動杆が設けられている。（例えば、特許文献１参照。）
すなわち、後扉用レールの戸尻側部分も、連動杆の基端側部分も戸袋内に位置し、戸袋は壁面を構成しているので、引き戸装置の点検、修理を行う場合、戸袋（収納壁）を取り外さなければならず、簡単に行う事は出来なかった。
【０００３】
【特許文献１】特許第３４４７５９６号公報
【発明の開示】
【発明が解決しようとする課題】
【０００４】
本発明は、戸袋（収納壁）を取り外すことなく、簡単に引き戸装置の点検、補修を行う事ができる、特に施工性に優れた引き戸装置を提供することを課題とする。
【課題を解決するための手段】
【０００５】
そこで、上記課題を解決する為、本発明が第１の手段として構成したところは、内扉が外扉に収納された状態で引き戸収納部内に収納される引き戸装置において、外扉が左右方向に移動可能に取付けられる外扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持したものである。
【０００６】
次に、本発明が第２の手段として構成したところは、内扉が外扉に収納された状態で引き戸収納部内に収納される引き戸装置において、外扉が左右方向に移動可能に取付けられる外扉支持枠と、内扉が左右方向に移動可能に取付けられ、外扉支持枠の所定寸法下方で、外扉内の上部を貫挿して配設される内扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持したものである。
【０００７】
次に、本発明が第３の手段として構成したところは、第１の手段としての構成又は第２の手段としての構成に加え、嵌入孔は、嵌入突片と戻止め係止片が嵌入する嵌入部と、嵌入部の下方に連設され、嵌入突片の下面と前後面を支持する支持部を有するものである。
【０００８】
次に、本発明が第４の手段として構成したところは、内扉が外扉に収納された状態で引き戸収納部内に収納される引き戸装置において、外扉が左右方向に移動可能に取付けられる外扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持せしめると共に、嵌入孔の上方に位置して、戻止め係止片と嵌入突片の案内部を設けたものである。
【０００９】
次に、本発明が第５の手段として構成したところは、内扉が外扉に収納された状態で引き戸収納部内に収納される引き戸装置において、外扉が左右方向に移動可能に取付けられる外扉支持枠と、内扉が左右方向に移動可能に取付けられ、外扉支持枠の所定寸法下方で、外扉内の上部を貫挿して配設される内扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持せしめると共に、嵌入孔の上方に位置して、戻止め係止片と嵌入突片の案内部を設けたものである。
【００１０】
次に、本発明が第６の手段として構成したところは、第４の手段としての構成又は第５の手段としての構成に加え、嵌入孔は、嵌入突片と戻止め係止片が嵌入する嵌入部と、嵌入部の下方に連設され、嵌入突片の下面と前後面を支持する支持部を有するものである。
【発明の効果】
【００１１】
第１の手段として構成したところによると、外扉支持枠の戸尻側縦枠側の端部に、嵌入突片と戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持したので、点検、補修のため外扉支持枠を取り外す必要があるとき、嵌入突片が嵌入孔に支持された状態で、外扉支持枠を戸先側に引き出すと、戻止め係止片が嵌入孔の下方部内面に当接し、外扉支持枠の移動は一旦停止するので、嵌入孔から嵌入突片が不測に抜け出して、外扉支持枠の戸尻側が落下する事がなく安全である。
そして、一旦停止した状態で、力を加えて外扉支持枠の戸尻側を持ち上げながら係止突片を嵌入孔より抜き出す。
すなわち、力を加えて作業する必要がある状態が確実に認知できるので、余計な労力を必要とせず、安全、かつ容易に補修点検作業を行う事が出来る。
【００１２】
第２の手段として構成したところによると、第１の手段として構成したところとの効果に加え、内扉支持枠の取り付け、取り外しが容易である。
【００１３】
第３の手段として構成したところによると、第１の手段として構成したところによる効果に加え、嵌入孔が嵌入部と支持部を有しているので、嵌入突片と戻止め係止片の嵌入が容易で、嵌入部は確実に支持されるので、支持枠の前後方向の揺れは確実に防止される。
【００１４】
第４の手段として構成したところによると、第１の手段として構成したところによる効果に加え、嵌入孔の上方に位置して、戻止め係止片と嵌入突片の嵌入案内部を構成しているので、戻止め係止片と嵌入突片の嵌入孔への嵌入が容易に行える。
【００１５】
第５の手段として構成したところによると、第４の手段として構成したところの効果に加え、内扉支持枠の取り付け、取り外しが容易である。
【００１６】
第６の手段の手段として構成したところによると、第４の手段として構成したところによる効果に加え、嵌入孔が嵌入部と支持部を有しているので、嵌入突片と戻止め係止片の嵌入が容易で、嵌入部は確実に支持されるので、支持枠の前後方向の揺れは確実に防止される。
【発明を実施するための最良の形態】
【００１７】
本発明は、内扉が外扉に収納された状態で引き戸収納部内に収納される引き戸装置において、外扉が左右方向に移動可能に取付けられる外扉支持枠と、内扉が左右方向に移動可能に取付けられ、外扉支持枠の所定寸法下方で、外扉内の上部を貫挿してる配設される内扉支持枠の戸尻側縦枠側の端部に、嵌入突片と、嵌入突片の先端に下向きに突出する戻止め係止片を設け、戸尻側縦枠の引き戸収納部側に嵌入突片と戻止め係止片が嵌入可能な大きさの嵌入孔を形成し、戻止め係止片を戸尻側縦枠内に位置せしめた状態で、嵌入突片を嵌入孔で支持せしめると共に、嵌入孔の上方に位置して、戻止め係止片と嵌入突片の嵌入案内部を設け、嵌入孔は、嵌入突片と戻止め係止片が嵌入する嵌入部と、嵌入部の下方に連設され、嵌入突片の下面と前後面を支持する支持部を有するものである。
【実施例１】
【００１８】
以下、添付図面に基づいて実施例を説明する。
図１〜図７において、符号１は引き戸枠を示している。
引き戸枠１は、建物側の鉄骨１０１・・・にブラケット１０２・・・を介して所定間隔を有して固定された戸尻側縦枠１１と戸先側縦枠１２と、戸尻側縦枠１１と戸先側縦枠１２の上端間に配設され、建物側鉄骨１０１にブラケット１０２を介して固定された上枠１３より門形に形成されている。
【００１９】
符号１４は外扉支持枠を示している。外扉支持枠１４は、戸尻側縦枠１１と嵌入連結され、ランマ下地パネル８の内面、及び、上枠１３の下面と固定ボルトで連結されて戸尻側縦枠１１と戸先側縦枠１２の上部間に配設され、外扉用スライドレール２（図１２に示す。）が着脱自在に連結されている。そして、外扉用スライドレール２には外扉５が取付けられている。
符号１６は内扉支持枠を示している。内扉支持枠１６は、前記外扉支持枠１４の所定寸法下方で、戸尻側縦枠１１と嵌入連結され、ランマ下地パネル８の内面に設けられた補強材８０と固定ボルトで連結され、戸尻側縦枠１１と戸先側縦枠１２の上部間に配設され、内扉用スライドレール３（図１３に示す。）が着脱自在に連結されている。そして、内扉用スライドレール３には内扉６が取付けられている。
【００２０】
符号４、４は、戸尻側縦枠１１と戸先側縦枠１２間で、上端が上枠１３の室内外側の両面に固定され、下端部が床面に埋め込まれて前後方向に所定間隔を有して配設された中枠を示している。
以下、戸尻側縦枠１１と中枠４、４間側を引き戸収納側、戸先側縦枠１２と中枠４、４間側を出入口側と云う。
そして、引き戸収納側には内装仕上げのための化粧パネル１００・・・を貼り付けるための下地パネル８３が、室内側と室外側に取付けられ、内部を引き戸収納用の空間とした引き戸収納部４０が構成される。
【００２１】
外扉５の上部は、外扉用スライドレール２を介して外扉支持枠１４に吊り下げられ、外扉５の下部は、中枠４、４間の床面に設けられた外扉用ガイドローラー取付部材１８に回転自在に設けられた外扉用ガイドローラー１８０に嵌合して前後方向への振れ止めがなされている。
一方、内扉６の上部は、内扉用スライドレール３を介して外扉５の上部を貫挿する内扉支持枠１６に吊り下げられ、内扉６の下部は、外扉５の下端部で戸先側端部に設けられ、出入口側に突出する内扉用ガイドローラー取付部材１９に回転自在に設けられた内扉用ガイドローラー１９０に嵌合して前後方向への振れ止めがなされている。
そして、後記する連動機構９によって、内扉６の移動距離は、外扉５の移動距離の２倍に設定され、第１図の全閉状態から、開放するにつれて、内扉６は外扉５内に収納されつつ、外扉５は引き戸収納部４０内に移動し、第２図の全開状態で、外扉５は内扉６を内部に収納した状態で引き戸収納部４０内に収納される。
【００２２】
符号７は、外扉支持枠１４と、内扉支持枠１６と、内扉６と外扉５の上部と、連動機構９を隠蔽して美観の向上を図ると共に、メンテナンスのため、室内側の出入口側上部に着脱自在に取り付けられた点検パネルを示している。
そして、点検パネル７に対向する室外側の出入口側上部に、外扉支持枠１４と、内扉支持枠１６と、内扉６と外扉５の上部と、連動機構９を隠蔽するとともに、内装仕上げのための化粧パネル１００を貼り付けるためのランマ下地パネル８（図６に示す。）が取り付けられている。
【００２３】
すなわち、上記引き戸枠１、外扉用スライドレール２が取付けられた外扉支持枠１４、内扉用スライドレール３が取付けられた内扉支持枠１６、中枠４、４、中枠４、４と戸尻側縦枠１１間に配設される下地パネル８３・・・、ランマ下地パネル８、外扉用ガイドローラー１８０が取付けられた外扉用ガイドローラー取付部材１８、点検パネル７を所定の位置に取付けた後、化粧パネル１００・・・の貼りつけ等の建物内の内装工事が行われる。
そして、内装仕上げが終了した後、点検パネル７を取り外して、外扉５、内扉６、連動機構９が組み込まれ、開閉調整と床面及び戸先側縦枠１２との隙間調節等、各部の微調整が行われ、最後に点検パネル７が再び取付けられる。又、外扉用スライドレール２、内扉用スライドレール３を補修、点検する必要が生じたときは、点検パネル７を取り外し、連動機構９、内扉６、外扉５を取り外し後、内扉支持枠１６、外扉支持枠１４を取り外す。
【００２４】
以下、各部材について詳述する。
戸尻側縦枠１１は、図５に示す如く、引き戸収納部４０側の側片１１１と室内側の側片１１２と室外側の側片１１３より横断面略コ字形に形成され、建物用鉄骨１０１側の上下方向に所定間隔を有して固着された固定用部材１１４・・・が、建物用鉄骨１０１の引き戸収納部４０側に突出して固着されたブラケット１０２に溶接され、下端部は床面仕上げ時に床面に埋め込まれて立設されている。
【００２５】
そして、側片１１１の引き戸収納部４０側に外扉５が完全に開放された時、外扉５の戸尻側端面が当接する緩衝部材１０３が取付けられ、引き戸収納部４０側の上部に外扉支持枠１４と、内扉支持枠１６を取付ける為の所定数の嵌入孔４００・・・（図９、図１０、図１１に示す。）が形成され（嵌入孔４００の詳細については後記する。）、内扉支持枠１６を取付ける嵌入孔４００・・（図９、図１０、図１１に示す。）の上部には、内扉支持枠１６の前後巾より大き目の嵌合溝４０５を有する下向きコ字形の嵌入案内部４０６が、引き戸収納部４０側に突出して設けられ、内扉支持枠１６を取付ける際の案内個所となる。
符号４０７、４０７は嵌入孔４００・・・の周辺個所を補強するため側片１１１に固着された補強板を示している。
【００２６】
戸先側縦枠１２は、図５に示す如く、出入口側の側片１２１と、室内側の側片１２２と室外側の側片１２３より横断面略コ字形に形成され、建物側鉄骨１０１側の上下方向に所定間隔を有して固着された固定用部材１２４・・・が、建物用鉄骨１０１の出入口側面に突出して固着されたブラケット１０２に溶接され、下端部は床面仕上げ時に床面に埋め込まれて立設されている。
【００２７】
上枠１３は図３、図４、図６に示す如く、開閉方向両端部が適宜手段にて（実施例の場合は、戸尻側縦枠１１、戸先側縦枠１２の上端部に水平に溶接固着されている。）戸尻側縦枠１１と戸先側縦枠１２の上端部に配設され、建物用鉄骨１０１側で、内扉６、外扉５の開閉方向に所定間隔を有して固定部材１３１・・・が固着された断面上向き略コ字形をなし、該固定部材１３１・・・が建物用鉄骨１０１の下面の下方に突出して固着されたブラケット１０２に溶接固定され、戸尻側縦枠１１側端部下面が、外扉支持枠１４を戸尻側縦枠１１に取付ける際の嵌入案内部となる。
【００２８】
外扉支持枠１４は、図８から図１２に示す如く、固定枠１４１と、該固定枠１４１の内部で室外側内部に設けられた外扉用レール取付枠１４２と、外扉用レール取付枠１４２の戸尻側縦枠１１側の端面に取付けられた上嵌入取付座２００より構成されており、外扉用レール取付枠１４２の下面側に外扉用スライドレール２が取付けられている。
そして、外扉支持枠１４の出入口側は上枠１３及びランマ下地パネル８に設けたナット部にネジ止めして取付けられ、引き戸収納部４０側の端部（戸尻側縦枠１１側の端部）には前記嵌入孔４００・・・に対応して上嵌入取付座２００がネジ止めされて取付られている。
【００２９】
上嵌入取付座２００は、外扉用レール取付枠１４２の内面とネジ止めされる横向きＬ字形の取付基盤２０１と、取付基盤２０１の戸尻側縦枠１１側に突出し、戸尻側縦枠１１内の中程まで達する長さの嵌入突片２０２・・・と、嵌入突片２０２の戸尻側縦枠１１側端部で下方に突出する戻止め係止片２０３・・・を有している。
すなわち前記嵌入孔４００は、嵌入突片２０２と戻止め係止片２０３が嵌入する嵌入部４０１と、嵌入部４０１の下方に連設され、嵌入突片２０２の下面と前後面を支持する支持部４０２を有している。尚、実施例では嵌入突片２０２の長さは、戸尻側縦枠１１内の中程まで達する長さのに設定しているが、嵌入孔４００より嵌入突片２０２を抜き出す作業をした時、嵌入突片２０２が戸先側に移動したことが認知できる長さであれば良い。
【００３０】
内扉支持枠１６は、図８から図１１及び図１３に示す如く、固定用枠１６１と、該固定用枠１６１の内部で室外側内部に設けられた内扉用レール取付枠１６２と、固定用枠１６１の戸尻側縦枠１１側の端面にネジ止めされた下嵌入取付座３００より構成されており、内扉用レール取付枠１６２の下面に内扉用スライドレール３が取付けられている。
そして、内扉支持枠１６の出入口側はランマ下地パネル８の補強材８０に設けたナット部にネジ止めして取付けられ、引き戸収納部４０側の端部（戸尻側縦枠側の端）には前記嵌入孔４００・・・に対応して下嵌入取付座３００がネジ止めされている。
下嵌入取付座３００は、内扉用レール取付枠１６２の内面とネジ止めされる横向きＬ字形の取付基盤３０１と、取付基盤３０１の戸尻側縦枠１１側に突出し、戸尻側縦枠１１内の中程まで達する長さの嵌入突片３０２・・・と、嵌入突片３０２の戸尻側縦枠１１側端部で下方に突出する戻止め係止片３０３・・・を有している。
【００３１】
すなわち、前記嵌入孔４００は、嵌入突片３０２と戻止め係止片３０３が嵌入する嵌入部４０１と、嵌入部４０１の下方に連設され、嵌入突片３０３の下面と前後面を支持する支持部４０２より形成されている。尚、実施例では嵌入突片３０２の長さは、戸尻側縦枠１１内の中程まで達する長さのに設定しているが、嵌入孔４００より嵌入突片３０２を抜き出す作業をした時、嵌入突片３０２が戸先側に移動したことが認知できる長さであれば良い。
符号９００は、内扉用レール取付枠１６の出入口側の室内側面に取付けられ、内扉６と外扉５が勢いよく閉鎖しないようブレーキ効果を得るためのエアーダンパーを示している。
【００３２】
中枠４、４は、図５に示す如く、対向した同形に形成されているので室内側についてのみ説明する。
中枠４は、出入口側の端部に形成されて室内側に突出し、引き戸収納部４０の化粧パネル１００の出入口側端部を隠蔽する中枠突部４１と、中枠突部４１の引き戸収納部４０側に位置し、表面に化粧パネル１００が貼り付けられ、戸尻側縦枠１１側の端部に下地パネル８３の中枠４側の端部が係合する係止突片を有する表面部４２と、表面板４２の裏面側に設けられた裏面部４３より形成され、上端部が上枠１３の室内側面に連結され、下端部が床面仕上げ時に床面に埋め込まれて立設される。
【００３３】
そして、室内側と室外側の中枠４、４の裏面部４３、４３の出入口側内面には軟質合成樹脂材より形成された指づめ防止材（図示せず。）が取付られている。
尚、実施例では中枠４、４は対向した同形及び室内外側で同位置に形成されているが、例えば室外側では室内側より戸尻側縦枠１１側に所定寸法寄せた位置に設け、その寸法に一致する幅で設備パネルを中枠４に設けたり、あるいは、中枠４と同様の構成で取り付けたりする事も可能である。すなわち、例えば病室の出入口に使用される本発明では、設備パネルに患者名を表示するとともに、患者がナースコールを行った時、その病室と患者名を示す表示ランプと表示状態を消す取消スイッチを設けておけば、室外側からナースコールをしている病室及び患者を目で確認出来るので、看護婦は迅速に対応する事ができる。
【００３４】
外扉用スライドレール２は、図１２に示す如く、その開閉方向の長さは、外扉５の移動距離よりやや長めに形成され、外扉支持枠材１４の外扉用レール取付枠１４２の下面にネジ止めにて着脱自在に取付られている。
すなわち、外扉用スライドレール２は、図１２に示す如く、断面略下向きＣ字形のアウターメンバー２３と、アウターメンバー２３にボールリテーナー２４に保持された複数個のボール２５・・・を介してスライド自在に保持される断面略上向きＣ字形のインナーメンバー２６より構成されており、アウターメンバー２３は外扉５の移動距離よりやや長めに形成され、インナーメンバー２６は外扉５の開閉方向の幅よりやや小さ目に形成され、ボールリテーナー２４はインナーメンバー２６より２倍強の幅に形成されている。
【００３５】
符号５０は、インナーメンバー２６の下面に取付られた外扉用吊り金具を示している。
外扉用吊り金具５０は、インナーメンバー２６の下面にネジ止めされるインナーメンバー連結面５０４と、インナーメンバー連結面５０４のランマ下地パネル８の補強材８０側の端部から垂設された室外側面５０５と、室外側面５０５の下端から点検パネル７側に突出する外扉吊り下げボルト支持面５０６より点検パネル７側が開口する断面略コ字に形成され、外扉吊り下げボルト支持面５０６には点検パネル７側が開口するＵ字形の嵌合孔（図示せず。）が形成されている。
符号５０７は、外扉用吊り金具５０に外扉５を吊り下げた後、外扉吊り下げボルト５５６が、外扉吊り下げボルト支持面５０６から点検パネル７側に脱落するのを防止する、外扉吊り下げボルト支持面５０６とインナーメンバー連結面５０４の点検パネル７側の開口をネジ止め等にて閉塞する蓋板を示している。
【００３６】
内扉用スライドレール３は、図１３に示す如くその開閉方向の長さは、外扉５の移動距離よりやや長めに形成され、内扉支持枠材１６の内扉用レール取付枠１６２の下面にネジ止めにて着脱自在に取付られている。
【００３７】
すなわち、内扉用スライドレール３は、図１３に示す如く、断面略下向きＣ字形のアウターメンバー３３と、アウターメンバー３３にボールリテーナー３４に保持された複数個のボール３５・・・を介してスライド自在に保持される断面略Ｃ字形のインナーメンバー３６より構成されており、アウターメンバー３３は内扉６の移動距離よりやや長めに形成され、インナーメンバー３６は内扉６の開閉方向の幅よりやや小さ目に形成され、ボールリテーナー３４はインナーメンバー３６より２倍強の幅に形成されている。
【００３８】
内扉用吊り金具６０は、インナーメンバー３６の下面に取付られた内扉用吊り金具を示している。
内扉用吊り金具６０は、インナーメンバー３６の下面にネジ止めされるインナーメンバー連結面６０４と、インナーメンバー連結面６０４のランマ下地パネル８の補強材８０側の端部から垂設された室外側面６０５と、室外側面６０５の下端から点検パネル７側に突出する内扉吊り下げボルト支持面６０６より点検パネル７側が開口する断面略コ字に形成され、内扉吊り下げボルト支持面６０６には点検パネル７側が開口するＵ字形の嵌合孔（図示せず。）が形成されている。
符号６０７は、外扉用吊り金具６０に内扉６を吊り下げた後、内扉吊り下げボルト６２の頭部６３が、内扉吊り下げボルト支持面６０６から点検パネル７側に脱落するのを防止する、内扉吊り下げボルト支持面６０６とインナーメンバー連結面６０４の点検パネル７側の開口をネジ止め等にて閉塞する蓋板を示している。
すなわち、外扉スライドレール２と内扉スライドレール３、及び、外扉用吊り金具５０と内扉用吊り金具６０は、開閉方向の長さ寸法が移動距離の違いによって異なるだけの同形に構成されている。
【００３９】
点検パネル７は、室内側の出入口の上方全幅に渡って着脱自在に取付られる横長パネル状をなし、上枠１３の室内側面部で、出入口側の開閉方向両端部に設けられた点検パネル上部支持部材７１に、下方から嵌合する上部支持突片７２が上端部に形成され嵌合し、点検パネル７の戸先側縦枠１２側と中枠４側の端部は、戸先側縦枠１２と中枠４の上部内面に出入口側の突出し、螺孔を有する点検パネル取付用突片７００に室内側から取付けネジ７０、７０にて着脱自在に取付けられている。
【００４０】
ランマ下地パネル８は、戸先側縦枠１２側の内面に補強材８０がもうけられ、室外側表面板８１の上端が上枠１３の室外側側面部にネジ止めされ、室外側表面板８１の下端部で室外側に突出して形成されたランマ下地突部８２で、化粧ボード１００の下端部端面を隠蔽し、室外側表面板８１の開閉方向の両端部が、室外側の中枠４の出入口側面の上端部と、戸先側縦枠１２の出入口側面で室外側の上端部にネジ止めされている。
【００４１】
外扉５は、図５、図６、図７、図１２、図１３、図１４に示す如く、内部に内扉６が収納可能な空間が形成されるよう所定間隔を隔てて前後方向に対向して配設された室内外側パネル板５１、５２と、室内外側パネル板５１、５２の下端部を連結する外扉底板５４と、外扉５が外扉支持枠１４に取付けられる時に、内扉支持枠１６の室内側と内扉支持枠１６の上方に位置して、室内側パネル板５１の上端と室外側パネル板５２上端内部と着脱自在にネジ止め連結される外扉天板５５と、室内側パネル板５１と室外側パネル板５２の戸尻側端部で、内扉支持枠１６が位置する個所を除き、室内側パネル板５１と室外側パネル板５２の戸尻側端部を閉塞する外扉後板５６より構成されている。
【００４２】
外扉底板５４は、室内側パネル板５１と室外側パネル板５２間の中央部が上方に突出し、下面が外扉５巾方向全幅に渡って開口し、下方から前記外扉用ガイドローラー１８０が嵌合する外扉ガイドローラー嵌合溝５３を有している。
一方、外扉ガイドローラー嵌合溝５３に嵌合する外扉用ガイドローラー１８０は、図５、図１５に示す如く、中枠４、４の出入口側端部中央部で床面に固定される外扉ガイドローラー取付部材１８の上面に回転自在に取付けられ、外扉ガイドローラー嵌合溝５３の前後巾に対応する直径に形成されている。
【００４３】
内扉用ガイドローラー取付部材１９は、外扉底板５４の戸先側端面で、外扉ガイドローラー嵌合溝５３の戸先側端面を閉塞するよう固着され、外扉５の全閉時前記外扉当り１８１に当接する戸尻側面１９１と、戸尻側面１９１の上端で、外扉ガイドローラー嵌合溝５３の上端部で戸先側縦枠１２方向に突出し、上面に内扉用ガイドローラー１９０が回転自在に取付られるローラー取付面１９２と、ローラー取付面１９２の戸先側縦枠１２側端部で下方に突出し、内扉６の全閉時、内扉６の戸先側端面（後記する嵌合溝閉塞部）が当接するゴム材等からなる内扉当り１９３が取付けられる内扉当り取付部１９４より構成されている。
【００４４】
外扉天板５５は、図６、図７、図１２に示す如く、下端部に室内側パネル板５１の上端部がネジ止め連結され、内扉支持枠１６の室内側の一部を隠蔽する室内側隠蔽部５５１と、室内側隠蔽部５５１の上端から室外側パネル板５２方向に突出し、内扉支持枠１６の上方の一部を隠蔽する上方側隠蔽部５５２と、上方側隠蔽部５５２の室外側端部より下方に突出し、室外側パネル板５２の上端部内面がネジ止め連結される室外側連結部５５３より構成され、戸先側端部が室内側パネル板５１と室外側パネル板５２より戸先側縦枠１４側に所定寸法突出し、連動機構９（図１６に示す。）の戸先側の取付部が構成されている。
【００４５】
そして、上方側隠蔽部５５２の室内外パネル５１、５２間の中央部の戸先側端部と戸尻側端部には外扉用スライドレール２の外扉用吊り金具５０に対応して外扉５の開閉方向に所定間隔を有して上方に突出する外扉吊り下げボルト５５６、５５６が取付けられている。
外扉吊り下げボルト５５６は、頭部５５７と螺軸部５５８より構成され、外扉用吊り金具５０の外扉吊り下げボルト支持面５０６に点検パネル７側から室外側面５０５にかけて形成された螺軸部５５８に対応した大きさの嵌合孔（図示せず。）に、点検パネル７側から、螺軸部５５８の上端部が嵌入され、外扉吊り下げボルト５５６の頭部５５７を扉吊り下げボルト支持面５０２の上面で支持し、蓋片５０４を取付けることによって、外扉吊り下げボルト５５６は点検パネル７側への移動が阻止される。
【００４６】
内扉６は、図３、図５、図６、図１３、図１４に示す如く全体がパネル形状をなし、下端面の開閉方向に内扉ガイドローラー１９０が嵌合し、戸先側端面が嵌合溝閉塞部（図示せず。）によって閉塞され、戸尻側端部が開口する内扉ガイドローラー嵌合溝６１が形成され、内扉用スライドレール３の外扉用吊り金具６０に対応して内扉６の開閉方向の上端面に所定間隔を有して上方に突出する内扉吊り下げボルト６２、６２が取付けられている。
そして、内扉６の戸尻側端部の内部上下方向には錘が昇降となり、錘に設けた引き索７５の端部を滑車７６を介してランマ下地パネル８の補強材８０の連結固定された０公知の自閉装置が組み込まれている。
符号６００は開閉用の取手を示している。
【００４７】
内扉吊り下げボルト６２は、頭部６３と螺軸部６４より構成され、内扉用吊り金具６０の内扉吊り下げボルト支持面６０６に点検パネル７側から室外側面６０５にかけて形成された螺軸部６４に対応した大きさの嵌合孔（図示せず。）に、点検パネル７側から、螺軸部６４の上端部が嵌入され、内扉吊り下げボルト６２の頭部６３を内扉吊り下げボルト支持面６０６の上面で支持し、蓋片６０７を取付けることによって、内扉吊り下げボルト６２は点検パネル７側への移動が阻止される。
【００４８】
連動機構９は、図１３及び図１６に示す如く、ユニット基盤９４の戸先側端部と戸尻側端部の下端に戸先側プーリー９１と戸尻側プーリー９２が取付けられ、戸先側プーリー９１と戸尻側プーリー９２にワイヤー９０が掛け渡され、ワイヤ−９０の両端部がワイヤー連結座９３にて連結されてなり、一つの部材として構成されている。
符号９５はユニット基盤９４の戸先側端部に形成され、内扉６の閉鎖途中で、前記エアーダンパー９００のピストン軸９０１の戸尻側端部に当接し、内扉６、外扉５の閉鎖スピードを減速させるためのダンパー当りを示している。
すなわち  ユニット基盤９４は、外扉５の上端部内面に戸先側開口のから差し込まれ、外扉天板５５の室内側隠蔽部５５１の戸先側端部と戸尻側端部内面にネジ止め連結され、
ワイヤー連結座９３は、外扉６の閉鎖状態で、戸尻側プーリー９２のやや戸先側で、内扉支持枠１６にネジ止め固定される。
このように、ユニット基盤９４に戸先側プーリー９１と戸尻側プーリー９２を設けて一つの部材として構成されているので、組立て、部材管理が容易であり、戸先側プーリー９１を外扉５から戸先側に突出した位置に取付けることができるので、内扉６とワイヤー９０の連結を出入口側で行う事が可能となり、さらに組立てが簡単となる。
【００４９】
本発明は上記の如く構成され、建物の内装仕上げの前に、壁面に形成された開口に、引き戸枠１、外扉用スライドレール２が取付けられた外扉支持枠１４、内扉用スライドレール３が取付けられた内扉支持枠１６、中枠４、４、中枠４、４と戸尻側縦枠１１間に配設される下地パネル８３・・・、ランマ下地パネル８、外扉用ガイドローラー１８０が取付けられた外扉用ガイドローラー取付部材１８、点検パネル７を所定の位置に取付けておき、壁面及びランマ下地パネル８、下地パネル８３に化粧パネル１００が取付られた後、外扉５等が取付られる。
【００５０】
すなわち、外扉５を取付ける時は、内扉支持枠１６の戸先側の固定ネジを外した状態で支持し、戸先側に引き出すと、嵌入突片３０２・・・が嵌入孔４００・・・に支持された状態でひきだされ、戻止め係止片３０３・・・が嵌入孔４００・・・の下方部内面に当接し、内扉支持枠１６の移動は一旦停止するので、嵌入孔４００・・・から嵌入突片３０２・・・が不測に抜け出して内扉支持枠１６の戸尻側が落下する事がなく安全である。そして、一旦停止した状態で、力を加えて内扉支持枠１５の戸尻側を持ち上げながら係止突片３０３・・・を嵌入孔４００・・・より抜き出して、内扉支持枠１６を一旦引き戸枠１から取外す。
【００５１】
次に、外扉ガイドローラー嵌合溝５３内に外扉用ガイドローラー１８０を嵌合し、外扉５を持ち上げるようにして外扉天板５５に螺合した外扉吊り下げボルト５５６、５５６を外扉用吊り金具５０に吊り下げ、外扉支持枠１４に外扉用スライドレール２を介して、移動自在に外扉５を吊り下げる。
そして、一旦外した内扉支持枠１６を、引き戸収納部４０内に位置させた外扉５の出入口側の開口上部から戸尻側端部を挿通させ、嵌入案内部４０６の嵌合溝４０５内に位置せしめるようにして、嵌入突片３０２・・・と戻止め係止片３０３・・・を嵌入孔４００・・・嵌入し、支持部で４０２・・・で嵌入突片３０３・・・を支持し、（図１７に示す状態。）出入口側部をランマ下地パネル８の補強材８０にネジ止めする。（図１８に示す状態）
【００５２】
次に、外扉５を引き戸収納部４０内に位置させた状態で、出入口側部で、内扉吊り下げボルト６２、６２を内扉用吊り金具６０、６０に吊り下げ、内扉支持枠１１６に内扉用スライドレール３を介して、内扉６を移動自在に取り付ける。
さらに、内扉を閉鎖位置に移動させた状態で、外扉５を出入口側に移動させ、一つの部材とされた連動機構９のユニット基盤９４を、外扉５の上端部内面に戸先側開口のから差し込み、外扉天板５５の室内側隠蔽部５５１の戸先側端部と戸尻側端部内面にネジ止め連結する。
【００５３】
次に、連動機構９が組みこまれた外扉５を引き戸収納部４０内に移動させ、さらに、ワイヤー連結座９３が戸先側プーリー９１の近傍に位置するようワイヤー９０を手繰り寄せ、ワイヤー連結座９３を内扉支持枠１６の所定位置に連結固定する。
次に外扉５を出入口側部に移動させて、内扉ガイドローラー１９０を内扉ガイドローラー嵌合溝６１の戸尻側端部に嵌合し、内扉６の戸尻側端部に上方に突出して設けられたワイヤー内扉固定座９６を外扉５の外側で下側のワイヤー９０と連結した後、各部の微調整を行い、点検パネル７を取付けて引き戸は組み立てられる。
この状態で、内扉６と外扉５は全閉状態となっている。
【００５４】
そして、全閉状態で、ワイヤー９０の上側は、外扉５の戸尻側端部で内扉支持枠１６に固定され、ワイヤー９０の下側は内扉６の戸尻側でワイヤー内扉固定座９６に固定されているので、内扉６を開放していくと、内扉６の移動速度の半分の移動速度で外扉５も連動して移動し、内扉６は外扉５に収納された状態で、外扉５は引き戸収納部４０内に収納される。（図２、図４に示す状態。）
この状態で、戸尻側縦枠１１の緩衝部材１０３と外扉５の外扉後板５６は当接した状態となる。
【００５５】
そして、全開状態で、上側のワイヤー９０のワイヤー連結座９３ワイヤー内扉固定座９６は全開状態で内扉支持枠１６の外扉５の戸先側に位置し、下側のワイヤー９０のワイヤー内扉固定座９６は内扉６の戸尻側に位置しているので、内扉６が閉鎖していくと（公知の自閉装置によって）内扉６の移動速度の半分の移動速度で外扉５も連動して移動し、内扉６は重なりしろを残して外扉５から突出した状態で、外扉５は重なりしろを残して引き戸収納部４０から突出した状態で出入口は閉鎖される。（図１、図３、図５に示す状態。）
【００５６】
次に、スライドレール２、３を点検、補修等しなければならない場合は前記組立て手順とは逆の手順で、点検パネル７、連動機構９、内扉６、外扉５等を取外し、外扉支持枠１４、内扉支持枠１６を取外して点検を行う。このとき、外扉支持枠１４、内扉支持枠１６
は、相当の重量を有するが、前記した嵌入孔、嵌入突片  戻止め係止片によって、安全に作業を行うことが出来る。
【図面の簡単な説明】
【００５７】
【図１】本発明の引き戸装置を全閉した状態の正面図
【図２】本発明の引き戸装置を全開した状態の正面図
【図３】点検パネルと化粧パネルを取り除いて引き戸装置を全閉した状態の正面図
【図４】点検パネルと化粧パネルを取り除いて引き戸装置を全開した状態の正面図
【図５】図１のＡ−Ａ線要部拡大断面図
【図６】図１のＢ−Ｂ線要部拡大断面図
【図７】図１のＣ−Ｃ線要部拡大断面図
【図８】戸尻側縦枠と外扉支持枠及び内扉支持枠の連結状態を示す正面図
【図９】戸尻側縦枠と外扉支持枠及び内扉支持枠の連結途中を示す斜視図
【図１０】戸尻側縦枠の嵌入孔部分の拡大図
【図１１】嵌入孔に嵌入突片が支持された状態の拡大断面図
【図１２】図６の外扉支持枠部分の拡大図
【図１３】図６の内扉支持枠部分の拡大図
【図１４】図６の内扉用ガイドローラー部分の拡大図
【図１５】図１５の側面略図
【図１６】連動機構の関係を示す正面図
【図１７】内扉支持枠の取付け途中の説明図
【図１８】内扉支持枠の取付け状態の説明図
【符号の説明】
【００５８】
１                引き戸枠
１１              戸尻側縦枠
１２              戸先側縦枠
１３              上枠
１４              外扉支持枠
１６              内扉支持枠
１００            化粧パネル
２                外扉用スライドレール
２０２  ３０２    嵌入突片
２０３  ３０３    戻止め係止片
３                内扉用スライドレール
４                中枠
４０              引き戸収納部
４００            嵌入孔
４０１            嵌入部
４０２            支持部
５                外扉
５０              外扉用吊り金具
６                内扉
６０              内扉用吊り金具
７                点検パネル
【図１】
2006070645.tif 000003
【図２】
2006070645.tif 000004
【図３】
2006070645.tif 000005
【図４】
2006070645.tif 000006
【図５】
2006070645.tif 000007
【図６】
2006070645.tif 000008
【図７】
2006070645.tif 000009
【図８】
2006070645.tif 000010
【図９】
2006070645.tif 000011
【図１０】
2006070645.tif 000012
【図１１】
2006070645.tif 000013
【図１２】
2006070645.tif 000014
【図１３】
2006070645.tif 000015
【図１４】
2006070645.tif 000016
【図１５】
2006070645.tif 000017
【図１６】
2006070645.tif 000018
【図１７】
2006070645.tif 000019
【図１８】
2006070645.tif 000020